(57)【要約】【課題】ユーザが入金した紙幣を返却する紙幣処理装置を提供する。【解決手段】紙幣処理装置は、紙幣が入金される入金部と、入金部から入金された紙幣を収納する収納部と、入金部から入金された紙幣を一時的に保留する第１の一時保留部および第２の一時保留部と、入金部、収納部、第１の一時保留部、および第２の一時保留部が接続され、紙幣を搬送する搬送部と、入金部に入金された紙幣を第１の一時保留部および第２の一時保留部のいずれか一方に搬送し、第１の一時保留部および第２の一時保留部に一時的に保留された紙幣を収納部に搬送するよう搬送部を制御する制御部と、を有する。【選択図】図２
2018152027.tif 000002
【特許請求の範囲】
【請求項１】
貨幣が入金される入金部と、
前記入金部から入金された貨幣を収納する収納部と、
前記入金部から入金された貨幣を一時的に保留する第１の一時保留部および第２の一時保留部と、
前記入金部、前記収納部、前記第１の一時保留部、および前記第２の一時保留部が接続され、貨幣を搬送する搬送部と、
前記入金部に入金された貨幣を前記第１の一時保留部および前記第２の一時保留部のいずれか一方に搬送し、前記第１の一時保留部および前記第２の一時保留部に一時的に保留された貨幣を前記収納部に搬送するよう前記搬送部を制御する制御部と、
を有する貨幣処理装置。
【請求項２】
前記第２の一時保留部は、精査用一時保留部であり、
前記制御部は、前記収納部に収容されている貨幣を、一旦前記第２の一時保留部に搬送した後、再度前記収納部に搬送するよう前記搬送部を制御し、搬送される貨幣の少なくとも枚数を計数し、前記収納部に収容されている貨幣の枚数を確定する精査処理を実行する、
請求項１に記載の貨幣処理装置。
【請求項３】
前記制御部は、前記入金部に入金される貨幣の枚数に基づいて、前記入金部に入金された貨幣を、前記第１の一時保留部および前記第２の一時保留部のいずれか一方に搬送するよう前記搬送部を制御する、
請求項１または２に記載の貨幣処理装置。
【請求項４】
前記制御部は、
前記入金部に入金される貨幣の枚数が、予め定めた所定枚数を超えない場合、前記貨幣を前記第１の一時保留部に搬送し、
前記入金部に入金される貨幣の枚数が、前記所定枚数を超える場合、前記貨幣を前記第２の一時保留部に搬送するよう前記搬送部を制御する、
請求項３に記載の貨幣処理装置。
【請求項５】
前記制御部は、前記第１の一時保留部または前記第２の一時保留部に保留された貨幣の枚数に基づいて、前記入金部に入金された貨幣を、前記第１の一時保留部および前記第２の一時保留部のいずれか一方に搬送するよう前記搬送部を制御する、
請求項１または２に記載の貨幣処理装置。
【請求項６】
前記制御部は、前記第１の一時保留部に保留された貨幣の枚数が所定の枚数になった場合、前記入金部に入金された貨幣を前記第２の一時保留部に搬送するよう前記搬送部を制御する、
請求項５に記載の貨幣処理装置。
【請求項７】
前記第２の一時保留部は、前記第１の一時保留部より貨幣の保留容量が大きい、
請求項１乃至６のいずれか一項に記載の貨幣処理装置。
【請求項８】
前記第２の一時保留部は、前記貨幣処理装置に対して着脱可能である、
請求項１乃至７のいずれか一項に記載の貨幣処理装置。
【請求項９】
前記貨幣処理装置は、少なくとも前記入金部を有する上部ユニットと、前記上部ユニットの下方に配置されるとともに、少なくとも前記収納部を有する下部ユニットとを備え、
前記第１の一時保留部は、上部ユニットに設けられ、
前記第２の一時保留部は、下部ユニットに設けられる、
請求項１乃至８のいずれか一項に記載の貨幣処理装置。
【請求項１０】
前記第２の一時保留部は、前記下部ユニットの前面に、着脱可能に設けられている、
請求項９に記載の貨幣処理装置。
【請求項１１】
前記第２の一時保留部は、スタック式収納部である、
請求項１乃至１０のいずれか一項に記載の貨幣処理装置。
【発明の詳細な説明】
【技術分野】
【０００１】
本発明は、貨幣処理装置に関する。
【背景技術】
【０００２】
従来、入金部に入金された紙幣を、一時保留部に一時保留し、入金確定後、一時保留部に一時保留した紙幣を、紙幣収納部に収納する紙幣処理装置がある（例えば、特許文献１参照）。紙幣を一時保留する一時保留部は、一般的に、収納できる紙幣の枚数が少ない。
【０００３】
そのため、紙幣処理装置では、一時保留部の収納枚数を超える紙幣の入金があった場合、入金された紙幣の全てを１度に一時保留できない。この場合、紙幣処理装置は、複数回に分けて入金処理を行うことになる。例えば、紙幣処理装置は、一時保留部の紙幣が一杯になるたびに、一時保留部の紙幣を紙幣収納部に搬送し、収納する。
【先行技術文献】
【特許文献】
【０００４】
【特許文献１】特許第６０４２９５０号公報
【発明の概要】
【発明が解決しようとする課題】
【０００５】
しかしながら、複数回に分けて行う入金処理の途中において、一時保留部の紙幣を紙幣収納部に搬送する処理が発生するため、入金確定までの時間が長くなるという問題がある。
【０００６】
そこで本発明は、入金処理を滞りなく行うことができる技術を提供することを目的とする。
【課題を解決するための手段】
【０００７】
本発明の貨幣処理装置は、貨幣が入金される入金部と、前記入金部から入金された貨幣を収納する収納部と、前記入金部から入金された貨幣を一時的に保留する第１の一時保留部および第２の一時保留部と、前記入金部、前記収納部、前記第１の一時保留部、および前記第２の一時保留部が接続され、貨幣を搬送する搬送部と、前記入金部に入金された貨幣を前記第１の一時保留部および前記第２の一時保留部のいずれか一方に搬送し、前記第１の一時保留部および前記第２の一時保留部に一時的に保留された貨幣を前記収納部に搬送するよう前記搬送部を制御する制御部と、を有する。
【発明の効果】
【０００８】
本発明によれば、入金処理を滞りなく行うことができる。
【図面の簡単な説明】
【０００９】
【図１】第１の実施の形態に係る紙幣処理装置の斜視図である。
【図２】図１の紙幣処理装置を＋ｙ軸方向から見た概略断面図である。
【図３】＋ｙ軸方向から見た搬送モジュールの概略断面図である。
【図４】紙幣収納部の割り当て例を説明する図である。
【図５】紙幣処理装置の精査処理例を説明する図である。
【図６】紙幣処理装置の入金動作例を説明する図である。
【図７】紙幣処理装置の大量入金時の動作例を説明する図である。
【図８】紙幣処理装置の入金動作例を示したフローチャートである。
【図９】第２の実施の形態に係る紙幣処理装置を＋ｙ軸方向から見た概略断面図である。
【発明を実施するための形態】
【００１０】
以下、本発明の実施の形態を、図面を参照して説明する。貨幣は、硬貨と紙幣を含む。貨幣処理装置は、硬貨処理装置と紙幣処理装置を含む。以下の実施の形態では、貨幣処理装置の一例として、紙幣処理装置について説明する。
【００１１】
［第１の実施の形態］
図１は、第１の実施の形態に係る紙幣処理装置１の斜視図である。図１に示す紙幣処理装置１は、例えば、銀行やスーパーマーケット等、大量に現金が取り扱われる分野において用いられる。例えば、紙幣処理装置１は、銀行窓口の出納業務や、スーパーマーケットの売上金業務等において、現金の入金や出金、計数、保管管理等に用いられる。以下では、紙幣処理装置１に対し、図１に示すｘ、ｙ、ｚ軸の直交座標系を設定する。
【００１２】
図１に示すように、紙幣処理装置１は、上部ユニット２ａと、下部ユニット２ｂと、に分けられる。
【００１３】
上部ユニット２ａは、入金部３と、出金部４ａ，４ｂと、入出力装置５と、を有している。入金部３は、紙幣処理装置１に入金する紙幣を投入する投入口である。出金部４ａ，４ｂは、紙幣処理装置１から出金された紙幣を取出す取出口である。また、出金部４ａ，４ｂは、リジェクト紙幣や識別できなかった紙幣等を取出す取出口である。
【００１４】
入出力装置５は、表示装置と、タッチパネルと、を有している。タッチパネルは、例えば、透明であり、表示装置上に設けられている。紙幣処理装置１は、入出力装置５のタッチパネルを介してユーザの操作を受付け、また、所定の情報を入出力装置５の表示装置に表示する。なお、入出力装置５は、入力装置（タッチパネル）と、出力装置（表示装置）とが一体でなくてもよい。
【００１５】
下部ユニット２ｂは、開閉扉６ａと、電子錠６ｂと、を有している。開閉扉６ａは、下部ユニット２ｂ内にアクセスするための扉である。開閉扉６ａを開けると、下部ユニット２ｂ内に収容されている、紙幣を収納する収納部（例えば、図２の精査用一時保留部１６および紙幣収納部１７ａ〜１７ｄを参照）にアクセスできる。開閉扉６ａの前面には、電子錠６ｂが設けられており、予め設定された暗証番号を電子錠６ｂに入力することにより、開閉扉６ａを開けることができる。下部ユニット２ｂは、例えば、金庫である。
【００１６】
図２は、図１の紙幣処理装置１を＋ｙ軸方向から見た概略断面図である。図２において、図１と同じものには同じ符号が付してある。図２では、図１の紙幣処理装置１の形状等を簡略化して図示している。
【００１７】
図２に示すように、紙幣処理装置１の上部ユニット２ａは、制御部１１と、搬送部１２と、識別部１３と、一時保留部１４と、を有している。
【００１８】
制御部１１は、紙幣処理装置１全体を制御する。例えば、制御部１１は、入金部３に入金された紙幣の入金処理を行う。具体的には、制御部１１は、搬送部１２を制御し、入金部３に入金された紙幣を識別部１３に搬送する。制御部１１は、識別部１３を制御し、紙幣の真贋、正損、または金種等を識別させる。制御部１１は、識別部１３の識別結果に基づいて、正常紙幣等を一時保留部１４および精査用一時保留部１６のいずれか一方に一時保留し、リジェクト紙幣を出金部４ａ，４ｂに搬送する。そして、制御部１１は、入金額を確定した後、一時保留部１４および精査用一時保留部１６のいずれか一方に一時保留した紙幣を、紙幣収納部１７ａ〜１７ｄのいずれかに搬送する。
【００１９】
また、制御部１１は、例えば、紙幣収納部１７ａ〜１７ｄに収納されている紙幣の出金処理を行う。具体的には、制御部１１は、ユーザからの出金要求に応じた紙幣を、紙幣収納部１７ａ〜１７ｄから繰出す。制御部１１は、搬送モジュール１５および搬送部１２を制御し、繰出した紙幣を出金部４ａ，４ｂに搬送する。
【００２０】
また、制御部１１は、精査用一時保留部１６を用いて、紙幣収納部１７ａ〜１７ｄに収納されている紙幣の精査処理を実行する。制御部１１は、例えば、ＣＰＵ（Central Processing Unit）と、プログラムおよび所定のデータを記憶するメモリ等とを備えた装置によって、上記の機能を実現する。
【００２１】
搬送部１２は、ループ状の搬送路を有している。搬送部１２は、入金部３、出金部４ａ，４ｂ、一時保留部１４、搬送モジュール１５、精査用一時保留部１６、および紙幣収納部１７ｂ〜１７ｄと接続されている。
【００２２】
識別部１３は、搬送部１２上に設けられている。識別部１３は、画像センサ、赤外線センサ、紫外線センサ、または磁気センサ等を備え、搬送部１２を搬送される紙幣の真贋、正損、または金種等を識別する。
【００２３】
一時保留部１４は、入金部３に投入された紙幣が搬送される。一時保留部１４は、入金部３から搬送される紙幣を一時的に保留する。入金紙幣として受け付けられ、一時保留部１４に保留された紙幣の合計金額が入出力装置５に表示される。ユーザは、入出力装置５に表示された合計金額を確認し、入出力装置５を用いて、入金を確定する操作（入金確定操作）を行う。一時保留部１４は、例えば、ユーザの入出力装置５への入金確定操作に応じて、一時保留している紙幣を搬送部１２に繰出す。搬送部１２に繰出された紙幣は、紙幣収納部１７ａ〜１７ｄに搬送され、収納される。一時保留部１４は、例えば、紙幣を巻き取るドラムを有した巻取式の収納部である。
【００２４】
下部ユニット２ｂは、搬送モジュール１５と、精査用一時保留部１６と、紙幣収納部１７ａ〜１７ｄと、を有している。
【００２５】
搬送モジュール１５は、搬送部１２と、紙幣収納部１７ａとを結ぶ搬送路を有している。搬送モジュール１５は、下部ユニット２ｂに対し、着脱可能となっている。
【００２６】
図３は、＋ｙ軸方向から見た搬送モジュール１５の概略断面図である。図３に示すように、搬送モジュール１５は、搬送部（搬送路）２１〜２３を有している。
【００２７】
搬送モジュール１５が下部ユニット２ｂに装着されると、搬送部２１は、搬送部１２と接続された搬送部と接続される。搬送部２２は、紙幣収納部１７ａの上側の収納部と接続された搬送部と接続される。搬送部２３は、紙幣収納部１７ａの下側の収納部と接続された搬送部と接続される。
【００２８】
搬送モジュール１５は、紙幣の搬送経路を切替える複数の分岐部を有している。搬送モジュール１５は、制御部１１による分岐部の制御に応じて、紙幣の搬送先を切替える。
【００２９】
例えば、搬送モジュール１５は、搬送部１２から搬送された紙幣を搬送部２２に搬送して、紙幣収納部１７ａの上側の収納部に搬送したり、搬送部１２から搬送された紙幣を搬送部２３に搬送して、紙幣収納部１７ａの下側の収納部に搬送したりする。また、搬送モジュール１５は、紙幣収納部１７ａの上側の収納部から繰出された紙幣を搬送部２１に搬送して、搬送部１２に搬送したり、紙幣収納部１７ａの下側の収納部から繰出された紙幣を搬送部２１に搬送して、搬送部１２に搬送したりする。
【００３０】
搬送モジュール１５は、図２に示した精査用一時保留部１６および紙幣収納部１７ａ〜１７ｄと入れ替えることができる。紙幣処理装置１は、着脱式の搬送モジュール１５によって、搬送路をフレキシブルに構成することができ、様々な紙幣収納部の構成を構築することができる。
【００３１】
図２の説明に戻る。精査用一時保留部１６は、上面に開口部を有している。精査用一時保留部１６は、搬送部１２から搬送される紙幣を、上面の開口部から収納する。また、精査用一時保留部１６は、収納している紙幣を、上面の開口部から、搬送部１２に繰出す。
【００３２】
精査処理の際、紙幣収納部１７ａ〜１７ｄに収納されている紙幣が精査用一時保留部１６に搬送される。精査用一時保留部１６は、紙幣収納部１７ａ〜１７ｄから搬送される紙幣を一時保留する。精査用一時保留部１６は、精査処理後、一時保留している紙幣を搬送部１２に繰出す。搬送部１２に繰出された紙幣は、元の紙幣収納部１７ａ〜１７ｄに搬送され、収納される。
【００３３】
また、入金部３に投入された紙幣が精査用一時保留部１６に搬送される。精査用一時保留部１６は、入金部３から搬送される紙幣を一時保留する。精査用一時保留部１６は、例えば、ユーザの入出力装置５への入金確定操作に応じて、一時保留している紙幣を搬送部１２に繰出す。搬送部１２に繰出された紙幣は、紙幣収納部１７ａ〜１７ｄに搬送され、収納される。
【００３４】
精査用一時保留部１６は、スタック式の収納部である。精査用一時保留部１６は、紙幣を印刷面に垂直な方向に積み重ねて収納する。精査用一時保留部１６は、下部ユニット２ｂに対し、着脱可能となっている。
【００３５】
紙幣収納部１７ａは、上下方向（ｚ軸方向）に２つの収納部を有し、それぞれの収納部の側面に開口部を有している。紙幣収納部１７ａの２つの収納部のそれぞれは、搬送モジュール１５から搬送される紙幣を、側面の開口部から収納する。また、紙幣収納部１７ａの２つの収納部のそれぞれは、収納している紙幣を、側面の開口部から搬送モジュール１５へ繰出す。
【００３６】
紙幣収納部１７ｂ〜１７ｄは、上面に開口部を有している。紙幣収納部１７ｂ〜１７ｄは、搬送部１２から搬送される紙幣を、上面の開口部から収納する。また、紙幣収納部１７ｂ〜１７ｄは、収納している紙幣を、上面の開口部から搬送部１２へ繰出す。
【００３７】
図４は、紙幣収納部１７ａ〜１７ｄの割り当て例を説明する図である。図４には、図２に示した搬送モジュール１５と、精査用一時保留部１６と、紙幣収納部１７ａ〜１７ｄと、が示してある。
【００３８】
精査用一時保留部１６は、入金処理時および精査処理時に使用され、搬送部１２から搬送される紙幣を一時保留する。
【００３９】
精査用一時保留部１６は、後述するが、精査処理以外では空になっている。そこで、制御部１１は、精査用一時保留部１６を、入金処理時の一時保留部としても使用する。
【００４０】
紙幣収納部１７ｂ〜１７ｄには、金種Ｘの紙幣が収納される。例えば、紙幣収納部１７ｂ〜１７ｄには、１００元紙幣が収納される。
【００４１】
紙幣収納部１７ａの上側の収納部には、金種Ｘ以外の紙幣が収納される。例えば、紙幣収納部１７ａの上側の収納部には、１００元以外の紙幣が混合で収納される。紙幣収納部１７ａの下側の収納部には、出金処理や精査処理でリジェクト紙幣と判定された紙幣が収納される。
【００４２】
精査用一時保留部１６および紙幣収納部１７ａ〜１７ｄは、上記したようにスタック式の収納部であり、例えば、２７００枚の紙幣を収納できる。一方、上部ユニット２ａの一時保留部１４は、巻取式の収納部であり、例えば、３００枚の紙幣を収納できる。
【００４３】
紙幣処理装置１は、例えば、１種類の金種については、多くの枚数の紙幣が入金され、その他の金種については、少ない枚数の紙幣が入金され、また、入金される頻度も少ない場合がある。このような使用方法では、紙幣収納部１７ａ〜１７ｄを、例えば、図４のような割り当てにする。例えば、図４の紙幣収納部１７ｂ〜１７ｄに示すように、金種Ｘを収納する紙幣収納部を３つとし、紙幣収納部１７ａの上側の収納部に示すように、金種Ｘ以外の紙幣を混合で収納する紙幣収納部を１つとする。
【００４４】
精査用一時保留部１６は、一時保留部１４より紙幣の保留容量が大きい。そこで、制御部１１は、大量の紙幣が入金される場合、入金された紙幣を、精査用一時保留部１６に一時保留する。例えば、制御部１１は、一時保留部１４の収納量である３００枚を超える入金があった場合、精査用一時保留部１６に入金紙幣を搬送し、一時保留する。一方、制御部１１は、一時保留部１４の収納量である３００枚を超えない入金の場合、一時保留部１４に入金紙幣を搬送し、一時保留する。以下の説明では、所定の枚数を超える紙幣が入金された処理、または所定の枚数を超える紙幣の入金が予測される処理を大量入金という。所定の枚数は、一時保留部１４の収納量であってもよいし、別途定めた枚数でもよい。
【００４５】
このように、紙幣処理装置１は、一時保留部１４の収納量（例えば３００枚）を超える大量入金があっても、精査用一時保留部１６を用いることにより、入金された紙幣を一時保留できる。これにより、入金処理を複数回に分けて行う必要がなくなり、入金処理を滞りなく行うことができる。
【００４６】
また、精査用一時保留部１６は、入金処理で一時保留された紙幣以外の紙幣を収納していない。これにより、紙幣処理装置１は、入金のキャンセル操作があっても、ユーザが実際に入金した紙幣だけを、精査用一時保留部１６から返却でき、他の紙幣が混入したり、他の紙幣と入れ替わるようなことがない。
【００４７】
なお、大量入金か否かは、ユーザによって指定される。例えば、ユーザが入出力装置５に対し、大量入金処理を行うよう指示する操作（大量入金操作）を行った場合、制御部１１は、入金部３に入金された紙幣を精査用一時保留部１６に搬送し、一時保留する。
【００４８】
図５は、紙幣処理装置１の精査処理例を説明する図である。図５において、図２と同じものには同じ符号が付してある。
【００４９】
制御部１１は、紙幣収納部１７ａ〜１７ｈの在高を再確認する必要が生じた場合に、精査処理を実行する。制御部１１は、例えば、紙幣収納部１７ａ〜１７ｄが下部ユニット２ｂから取り外されたり、紙幣収納部１７ａ〜１７ｄが有する開閉扉が開けられた場合に、紙幣収納部１７ａ〜１７ｈから紙幣が抜き取られたり、紙幣収納部１７ａ〜１７ｈに紙幣が投入された可能性があるので、紙幣収納部１７ａ〜１７ｈの在高を再確認する必要があると判断する。また、制御部１１は、例えば、紙幣の紙幣収納部１７ａ〜１７ｄへの搬送中または紙幣の紙幣収納部１７ａ〜１７ｄからの繰出中に異常が発生した場合、搬送されたり繰り出しされた紙幣の枚数を確定できていない可能性があるので、紙幣収納部１７ａ〜１７ｈの在高を再確認する必要があると判断する。
【００５０】
以下では、紙幣収納部１７ｂに収納されている紙幣の精査処理例について説明する。精査処理が行われていない間は、精査用一時保留部１６には、紙幣は収納されていない（空）とする。
【００５１】
制御部１１は、図５の矢印Ａ１に示すように、紙幣収納部１７ｄに収納されている紙幣を１枚ずつ搬送部１２に繰出する。
【００５２】
制御部１１は、搬送部１２に繰出した紙幣を、図５の矢印Ａ１に示すように、識別部１３に通過させ、搬送部１２を搬送される紙幣を識別させる。制御部１１は、識別部１３の情報を基に、少なくとも紙幣の枚数を計数する。また、例えば、制御部１１は、識別部１３に対し、紙幣の金種や紙幣の記番号を読み取らせてもよい。
【００５３】
制御部１１は、識別部１３によって識別された紙幣を、図５の矢印Ａ１に示すように、精査用一時保留部１６に搬送し、一時保留する。
【００５４】
制御部１１は、紙幣収納部１７ｂに収容されている紙幣を全て繰出し、識別部１３に識別させると、図５の点線矢印Ａ２に示すように、精査用一時保留部１６に一時保留した紙幣を紙幣収納部１７ｂに戻す。これにより、精査用一時保留部１６は、再び空となる。すなわち、精査用一時保留部１６は、上記したように、精査処理以外では空となり、入金処理時の一時保留部としても使用されることができる。
【００５５】
なお、識別部１３は、精査処理を行う上で、必ずしも必要なものではない。例えば、制御部１１は、搬送部１２上に設けられている紙幣の通過を検出するセンサ（例えば赤外線センサ）を用いて、搬送される紙幣の枚数を計数することにより精査処理を行ってもよい。具体的には、制御部１１は、センサによる紙幣の通過の検出によって、紙幣を計数してもよい。すなわち、制御部１１は、搬送部１２を搬送される紙幣の少なくとも枚数を計数し、紙幣収納部１７ａ〜１７ｄに収納されている紙幣の枚数を確定する精査処理（簡易精査処理）を実行してもよい。
【００５６】
図６は、紙幣処理装置１の入金動作例を説明する図である。図６において、図２と同じものには同じ符号が付してある。
【００５７】
制御部１１は、入出力装置５に対するユーザの大量入金操作がなかった場合、矢印Ａ１１に示すように、入金部３に入金された紙幣を、搬送部１２に繰出す。
【００５８】
制御部１１は、搬送部１２に繰出した紙幣を、図６の矢印Ａ１１に示すように、識別部１３に通過させ、搬送部１２を搬送される紙幣を識別させる。例えば、制御部１１は、識別部１３に対し、紙幣の真贋、正損、または金種等を識別させる。
【００５９】
制御部１１は、識別部１３によって識別された紙幣を、図６の矢印Ａ１１に示すように、一時保留部１４に搬送し、一時保留する。なお、制御部１１は、受け付けできないリジェクト紙幣については、出金部４ａ，４ｂに搬送する。
【００６０】
制御部１１は、入金部３に投入された紙幣を全て一時保留部１４または出金部４ａ，４ｂに搬送した後、入出力装置５に対するユーザの入金確定操作があると、図６の点線矢印Ａ１２に示すように、一時保留部１４に一時保留されている紙幣を、搬送部１２に繰出す。
【００６１】
制御部１１は、搬送部１２に繰出した紙幣を紙幣収納部１７ａ〜１７ｄに搬送し、収納する。なお、図６の例では、一時保留部１４に一時保留されていた紙幣を、紙幣収納部１７ｂに搬送し、収納する例を示している。制御部１１は、識別部１３の識別結果に基づいて、紙幣を所定の紙幣収納部１７ａ〜１７ｄに搬送し、収納する。
【００６２】
このように、制御部１１は、大量入金でない場合、紙幣を一時保留部１４に一時保留する。そして、制御部１１は、入金確定後、一時保留部１４に一時保留している紙幣を紙幣収納部１７ａ〜１７ｄに収納する。
【００６３】
図７は、紙幣処理装置１の大量入金時の動作例を説明する図である。図７において、図２と同じものには同じ符号が付してある。
【００６４】
制御部１１は、入出力装置５に対するユーザの大量入金操作があった場合、矢印Ａ２１に示すように、入金部３に入金された紙幣を、搬送部１２に繰出す。
【００６５】
制御部１１は、搬送部１２に繰出した紙幣を、図７の矢印Ａ２１に示すように、識別部１３に通過させ、搬送部１２を搬送される紙幣を識別させる。例えば、制御部１１は、識別部１３に対し、紙幣の真贋、正損、または金種等を識別させる。
【００６６】
制御部１１は、識別部１３によって識別された紙幣を、図７の矢印Ａ２１に示すように、精査用一時保留部１６に搬送し、一時保留する。なお、制御部１１は、受け付けできないリジェクト紙幣を、出金部４ａ，４ｂに搬送する。
【００６７】
制御部１１は、入金部３に投入された紙幣を全て精査用一時保留部１６または出金部４ａ，４ｂに搬送した後、入出力装置５に対するユーザの入金確定操作があると、図７の点線矢印Ａ２２に示すように、精査用一時保留部１６に一時保留されている紙幣を、搬送部１２に繰出す。
【００６８】
制御部１１は、搬送部１２に繰出した紙幣を紙幣収納部１７ａ〜１７ｄに搬送し、収納する。なお、図７の例では、精査用一時保留部１６に一時保留されていた紙幣を、紙幣収納部１７ｂに搬送し、収納する例を示している。制御部１１は、識別部１３の識別結果に基づいて、紙幣を所定の紙幣収納部１７ａ〜１７ｄに搬送し、収納する。
【００６９】
このように、制御部１１は、大量入金の場合、紙幣を精査用一時保留部１６に一時保留する。そして、制御部１１は、入金確定後、精査用一時保留部１６に一時保留している紙幣を紙幣収納部１７ａ〜１７ｄに収納する。
【００７０】
図８は、紙幣処理装置１の入金動作例を示したフローチャートである。まず、制御部１１は、入出力装置５の表示装置に対し、紙幣の投入（入金）を指示する画面を表示し、大量入金であるか否かを問う画面を表示する（ステップＳ１）。
【００７１】
次に、制御部１１は、ユーザが入出力装置５に対し、大量入金を操作（大量入金を指定）したか否か判定する（ステップＳ２）。制御部１１は、ユーザが入出力装置５に対し、大量入金を操作したと判定した場合（Ｓ２の「Ｙｅｓ」）、入金部３に入金された紙幣を精査用一時保留部１６に一時保留する（ステップＳ３）。
【００７２】
次に、制御部１１は、入出力装置５に対し、入金を確定するかまたはキャンセルするかを問う画面を表示する（ステップＳ４）。
【００７３】
次に、制御部１１は、ユーザが入出力装置５に対し、入金を確定する操作を行ったかまたはキャンセルする操作を行ったか判定する（ステップＳ５）。制御部１１は、ユーザが入出力装置５に対し、入金を確定する操作を行ったと判定した場合（Ｓ５の「確定」）、精査用一時保留部１６に一時保留されている紙幣を、紙幣収納部１７ａ〜１７ｄに搬送し、収納する（ステップＳ６）。そして、制御部１１は、当該フローチャートの処理を終了する。
【００７４】
一方、制御部１１は、ユーザが入出力装置５に対し、キャンセルを確定する操作を行ったと判定した場合（Ｓ５の「キャンセル」）、精査用一時保留部１６に一時保留されている紙幣を、出金部４ａ，４ｂに搬送する（ステップＳ７）。そして、制御部１１は、当該フローチャートの処理を終了する。
【００７５】
ステップＳ２において、制御部１１は、ユーザが入出力装置５に対し、大量入金を操作していないと判定した場合（Ｓ２の「Ｎｏ」）、入金部３に入金された紙幣を一時保留部１４に一時保留する（ステップＳ８）。
【００７６】
次に、制御部１１は、入出力装置５に対し、入金を確定するかまたはキャンセルするかを問う画面を表示する（ステップＳ９）。
【００７７】
次に、制御部１１は、ユーザが入出力装置５に対し、入金を確定する操作を行ったかまたはキャンセルする操作を行ったか判定する（ステップＳ１０）。制御部１１は、ユーザが入出力装置５に対し、入金を確定する操作を行ったと判定した場合（Ｓ１０の「確定」）、一時保留部１４に一時保留されている紙幣を、紙幣収納部１７ａ〜１７ｄに搬送し、収納する（ステップＳ１１）。そして、制御部１１は、当該フローチャートの処理を終了する。
【００７８】
一方、制御部１１は、ユーザが入出力装置５に対し、キャンセルを確定する操作を行ったと判定した場合（Ｓ１０の「キャンセル」）、一時保留部１４に一時保留されている紙幣を、出金部４ａ，４ｂに搬送する（ステップＳ１２）。そして、制御部１１は、当該フローチャートの処理を終了する。
【００７９】
以上説明したように、制御部１１は、入金部３に入金された紙幣を、一時保留部１４および精査用一時保留部１６のいずれか一方に搬送し、一時的に保留する。そして、制御部１１は、一時保留部１４および精査用一時保留部１６のいずれか一方に一時的に保留した紙幣を、紙幣収納部１７ａ〜１７ｄに搬送するよう搬送部１２を制御する。
【００８０】
これにより、大量入金の場合であっても、入金処理を複数回に分けて行う必要がなくなり、入金処理を滞りなく行うことができる。また、紙幣処理装置１は、ユーザが入金した紙幣を確実に返却することができる。例えば、紙幣処理装置１は、大量入金であっても、入金された紙幣を精査用一時保留部１６に一時保留する。また、精査用一時保留部１６は、入金処理で一時保留された紙幣以外の紙幣を収納していない。そのため、紙幣処理装置１は、入金キャンセルがあっても、精査用一時保留部１６に一時保留した、ユーザが入金した紙幣を、出金部４ａ，４ｂに繰出すことができ、他の紙幣が混入したり、他の紙幣と入れ替わるようなことがない。
【００８１】
また、制御部１１は、入金部３に投入された紙幣の枚数に基づいて、入金部３に投入された紙幣を、一時保留部１４および精査用一時保留部１６のいずれか一方に搬送するよう搬送部１２を制御してもよい。例えば、制御部１１は、ユーザが入出力装置５に入力した入金枚数に基づいて、入金部３に投入された紙幣を、一時保留部１４および精査用一時保留部１６のいずれか一方に搬送するよう搬送部１２を制御してもよい。より具体的には、制御部１１は、入金部３に入金される紙幣の枚数が、予め定めた所定枚数（例えば３００枚）を超えない場合、紙幣を一時保留部１４に搬送する。一方、制御部１１は、入金部３に入金される紙幣の枚数が、予め定めた所定枚数を超える場合、紙幣を精査用一時保留部１６に搬送するよう搬送部１２を制御する。
【００８２】
また、制御部１１は、一時保留部１４および精査用一時保留部１６のいずれか一方に保留された紙幣の枚数に基づいて、入金部３に入金された紙幣を、一時保留部１４および精査用一時保留部１６のいずれか一方に搬送するよう搬送部１２を制御してもよい。例えば、制御部１１は、一時保留部１４に保留された紙幣の枚数が所定の枚数になった場合、入金部３に入金された紙幣を精査用一時保留部１６に搬送するよう搬送部１２を制御してもよい。より具体的には、制御部１１は、一時保留部１４に保留された紙幣の枚数が、一時保留部の保留容量（例えば３００枚）になった場合、それ以降に入金された紙幣（例えば３０１枚目以降）を精査用一時保留部１６に搬送するよう搬送部１２を制御する。これは、大量入金が設定された場合も同様である。例えば、大量入金の場合、入金された紙幣は精査用一時保留部１６に一時保留されるが、精査用一時保留部１６が満杯になった場合は、続けて入金された紙幣を一時保留部１４に一時保留してもよい。
【００８３】
また、制御部１１は、入金される紙幣の金種に基づいて、紙幣を一時保留する保留部を選択してもよい。例えば、図４で説明したように、紙幣処理装置１は、金種Ｘなど、１種類の金種の紙幣が、大量入金されるように使用される場合がある。従って、制御部１１は、金種Ｘの紙幣が入金される場合、その紙幣を精査用一時保留部１６に一時保留する。一方、制御部１１は、金種Ｘ以外の紙幣が入金される場合、その紙幣を一時保留部１４に一時保留する。なお、入金される紙幣の金種については、識別部１３によって識別することができる。
【００８４】
また、制御部１１は、識別部１３によって識別される１枚目の金種に基づいて、紙幣の保留先を選択してもよい。例えば、入金される紙幣の１枚目の金種が金種Ｘである場合は、金種Ｘの紙幣が大量に入金されると予測できる場合がある。従って、制御部１１は、金種Ｘの紙幣が最初に入金された場合、入金されるすべての紙幣を精査用一時保留部１６に一時保留する。一方、制御部１１は、金種Ｘ以外の紙幣が最初に入金された場合、入金されるすべての紙幣を一時保留部１４に一時保留する。なお、制御部１１は、精査用一時保留部１６と一時保留部１４の一方に保留された紙幣の枚数が所定枚数に達した場合、それ以降に入金された紙幣を、金種にかかわらず、他方に搬送するよう搬送部１２を制御する。
【００８５】
また、制御部１１は、入金者の情報に基づいて、紙幣を一時保留する保留部を選択してもよい。例えば、店舗の売上金を入金する入金者は紙幣を大量に入金する場合が多く、一般の入金者は紙幣を大量に入金する可能性は少ない。従って、制御部１１は、入金者の口座情報等の情報に基づいて、大量入金の可能性が大きいと判断した場合、入金されるすべての紙幣を精査用一時保留部１６に一時保留する。一方、制御部１１は、金種Ｘ以外の紙幣が最初に入金された場合、入金される紙幣を一時保留部１４に一時保留する。
【００８６】
また、制御部１１は、入金される紙幣の状態に基づいて、紙幣を一時保留する保留部を選択してもよい。例えば、紙幣処理装置１には、損傷の激しい、いわゆる損券（unfit banknote）が入金される場合がある。このような損券の収納には、スタック式の収納部よりも巻取式の収納部の方が適している。従って、制御部１１は、入金された紙幣が損券の場合、その紙幣を一時保留部１４に一時保留する。一方、制御部１１は、入金された紙幣が正券（fit banknote）の場合、その紙幣を精査用一時保留部１６に一時保留する。なお、入金される紙幣の状態については、識別部１３によって識別することができる。
【００８７】
また、制御部１１は、保留部の稼働負荷を分散させるために、紙幣を一時保留する保留部を選択してもよい。例えば、稼働時間や処理枚数などに基づいて、一時保留部１４と精査用一時保留部１６を交互に使用してもよい。
【００８８】
また、上記では、精査用一時保留部１６はスタック式の収納部であるとしたが、これに限定されることはない。精査用一時保留部１６は、例えば、巻取式の収納部であってもよく、一時保留部１４より保留量が多ければよい。
【００８９】
また、上記では、大量入金の際の紙幣を一時保留する収納部として、精査用一時保留部を用いたが、紙幣収納部を用いてもよい。例えば、図４で説明したように、紙幣処理装置１は、金種Ｘ以外の紙幣については、あまり入金されない。つまり、金種Ｘ以外の紙幣を収納する紙幣収納部には、あまり紙幣が収納されていない。従って、紙幣処理装置１は、大量入金される金種以外の紙幣を収納する紙幣収納部を、大量入金の際の一時保留部として使用する。なお、制御部１１は、大量入金の紙幣を一時保留する紙幣収納部に、既に紙幣（金種Ｘ以外の紙幣）が収納されていても、ユーザが入金した紙幣を出金部４ａ，４ｂに返却することができる。紙幣は、紙幣収納部に対し、後入れ先出されるからである。また、紙幣収納部は、大量入金の紙幣を一時保留できるよう、例えば、図２に示した２段収納の紙幣収納部１７ａではなく、１段収納の紙幣収納部１７ｂ〜１７ｄを用いるのが望ましい。
【００９０】
［第２の実施の形態］
第２の実施の形態では、下部ユニット２ｂの前面に着脱可能な収納部を設け、この収納部を入金時の一時保留部として用いる。
【００９１】
図９は、第２の実施の形態に係る紙幣処理装置を＋ｙ軸方向から見た概略断面図である。図９において、図２と同じものには同じ符号が付してある。図９に示すように、紙幣処理装置１は、紙幣収納部３１を有している。
【００９２】
紙幣収納部３１は、下部ユニット２ｂの前面側に着脱可能に設けられている。例えば、紙幣収納部３１は、開閉扉６ａの前面に着脱可能に設けられる。または、紙幣収納部３１は、開閉扉６ａの裏面（精査用一時保留部１６と対向している面）に着脱可能に設けられる。紙幣収納部３１は、スタック式の収納部である。
【００９３】
紙幣収納部３１が収納できる紙幣の収納容量は、一時保留部１４が保留できる紙幣の保留容量より大きい。さらに、紙幣収納部３１が収納できる紙幣の収納容量は、紙幣収納部１７ｂ〜１７ｄのそれぞれの紙幣の保留容量と同等以上であることが好ましい。
【００９４】
紙幣収納部３１は、紙幣収納部１７ａ〜１７ｄの紙幣を回収したり、紙幣収納部１７ａ〜１７ｄに紙幣を補充したりするために用いられる。また、紙幣収納部３１は、精査用一時保留部１６の代わりに、紙幣収納部１７ａ〜１７ｄの紙幣を精査するときの精査用一次保留部として用いられてもよい。紙幣処理装置１は、この紙幣収納部３１を大量入金の際の一時保留部として用いる。
【００９５】
例えば、制御部１１は、ユーザが入出力装置５に対し、大量入金操作を行った場合、入金部３に入金された紙幣を、紙幣収納部３１に搬送し、一時保留する。そして、制御部１１は、ユーザが入出力装置５に対し、入金確定操作を行うと、紙幣収納部３１に一時保留した紙幣を、紙幣収納部１７ａ〜１７ｄに搬送し、収納する。
【００９６】
なお、制御部１１は、ユーザが入出力装置５に対し、大量入金操作を行わない場合、入金部３に入金された紙幣を、一時保留部１４に搬送し、一時保留する。
【００９７】
以上説明したように、紙幣収納部１７ａ〜１７ｄの紙幣を回収したり、紙幣収納部１７ａ〜１７ｄに紙幣を補充したり、紙幣収納部１７ａ〜１７ｄの紙幣を精査するために用いられる紙幣収納部３１は、下部ユニット２ｂの前面側に着脱可能に設けられる。そして、制御部１１は、入金部３に入金された紙幣を、紙幣収納部３１に搬送し、一時保留する。これによっても、紙幣処理装置１は、入金処理を複数回に分けて行う必要がなくなり、入金処理を滞りなく行うことができる。また、紙幣収納部３１は、入金処理で一時保留された紙幣以外の紙幣を収納していない。そのため、紙幣処理装置１は、入金キャンセルがあっても、紙幣収納部３１に一時保留した、ユーザが入金した紙幣を、出金部４ａ，４ｂに繰出すことができ、他の紙幣が混入したり、他の紙幣と入れ替わるようなことがない。
【符号の説明】
【００９８】
１  紙幣処理装置
２ａ，２ｂ  ユニット
３  入金部
４ａ，４ｂ  出金部
５  入出力装置
６ａ  開閉扉
６ｂ  電子錠
１１  制御部
１２  搬送部
１３  識別部
１４  一時保留部
１５  搬送モジュール
１６  精査用一時保留部
１７ａ〜１７ｄ  紙幣収納部
【図１】
2018152027.tif 000003
【図２】
2018152027.tif 000004
【図３】
2018152027.tif 000005
【図４】
2018152027.tif 000006
【図５】
2018152027.tif 000007
【図６】
2018152027.tif 000008
【図７】
2018152027.tif 000009
【図８】
2018152027.tif 000010
【図９】
2018152027.tif 000011